(57)【要約】【課題】大人が使うカメラにジャケットを付けて、操作キーの操作性と視認性を向上する【解決手段】ジャケットが撮像装置本体の操作キーより大きな操作釦を有し、かつ、撮像装置は撮像装置本体の操作部の表示領域に対して検出領域がオフセットすることで、操作性と視認性を向上する。【選択図】図５
2018072400.tif 000002
【特許請求の範囲】
【請求項１】
タッチパネルを有する撮像装置と、撮像装置に装着して使用するジャケットにおいて、ジャケットは撮像装置本体の操作キーより大きな操作釦を有し、かつ、撮像装置本体の操作部の表示領域に対して検出領域がオフセットされることを特徴としている撮像装置及びジャケット。
【請求項２】
操作釦保持部材は押圧部を有し、かつ導電部材で構成されていることを特徴としているジャケット。
【請求項３】
操作釦保持部材は受け部を有し、受け部は非導電部材で構成されていることを特徴とするジャケット。
【請求項４】
操作釦は透明部材で構成されていることを特徴とするジャケット。
【請求項５】
操作釦は拡大レンズで構成されていることを特徴とするジャケット。
【請求項６】
筐体は導電部材で構成されていることを特徴とするジャケット。
【請求項７】
ジャケットが装着されると表示アイコンが大きくなることを特徴としている撮像装置。
【請求項８】
ジャケットが装着されると表示アイコンが変更されることを特徴としている撮像装置。
【発明の詳細な説明】
【技術分野】
【０００１】
本発明はジャケットを装着できる撮像装置及びジャケットに関するものである。
【背景技術】
【０００２】
近年、カメラのデジタル化に伴い、携帯性の良い小型・軽量なカメラが発売されている。また、水中等あらゆる環境下でカメラを使用できるよう、カメラに着用して使用する各種ジャケットがある。一方で、カメラ用ジャケットには、ジャケットを装着したままカメラ本体のタッチパネルを操作できるように、ジャケットの操作部材に導電性のものを使用しているものがある（特許文献１）。
【先行技術文献】
【特許文献】
【０００３】
【特許文献１】特開２０１１−１９９７８３号公報
【発明の概要】
【発明が解決しようとする課題】
【０００４】
ここで、大人が普段使うカメラを子供が使用した場合を想定すると、タッチパネル上の操作キーは小さすぎて子供は上手に押すことができず、かつ、子供にとっては操作キーが分かりづらいという問題があった。そこで子供にとっても使いやすいカメラとして、タッチパネル操作のカメラにジャケットを装着してカメラの操作性や視認性を向上する方法が求められている。
【課題を解決するための手段】
【０００５】
本発明の撮像装置及びジャケットは、ジャケットが撮像装置本体の操作キーより大きな操作釦を有し、かつ、撮像装置が撮像装置本体の操作部の表示領域に対して検出領域をオフセットすることを特徴としている。
【０００６】
また、本発明の他の特徴とするところは、操作釦保持部材は押圧部を有し、かつ導電部材で構成されていることを特徴としている。
【０００７】
また、本発明の他の特徴とするところは、操作釦保持部材は受け部を有し、受け部は非導電部材で構成されていることを特徴としている。
【０００８】
また、本発明の他の特徴とするところは、操作釦は拡大レンズで構成されていることを特徴としている。
【０００９】
また、本発明の他の特徴とするところは、操作釦は透明部材で構成されていることを特徴としている。
【００１０】
また、本発明の他の特徴とするところは、ジャケット筐体は導電部材で構成されていることを特徴としている。
【００１１】
また、本発明の他の特徴とするところは、ジャケットが装着されると表示アイコンが大きくなることを特徴としている。
【００１２】
また、本発明の他の特徴とするところは、ジャケットが装着されると表示アイコンが変更されることを特徴としている。
【発明の効果】
【００１３】
以上説明したように、本発明によれば、デジタルカメラにジャケットを装着することで、操作キーの操作性と視認性が向上し、子供が使いやすいカメラを提供できる。
【図面の簡単な説明】
【００１４】
【図１】カメラの斜視図。
【図２】システムブロック図。
【図３】ジャケット装着図。
【図４】ジャケット装着図。
【図５】ジャケット操作部の断面図。
【図６】検出部オフセット処理のフローチャート。
【図７】表示アイコン拡大表示処理のフローチャート。
【図８】ジャケット装着時に表示アイコンが変化した様子を表す図。
【発明を実施するための形態】
【００１５】
＜第１の実施形態＞
以下、図を参照して本発明を実施するための最良の形態を説明する。
【００１６】
（撮像装置概略）
図１は本発明を適用したデジタルカメラ１００の一例であり、前方向及び後ろ方向からの斜視図である。１０１は撮像レンズ、１０２はシャッター操作部、１０４は表示部である。撮影したい方向に１０１を向けて撮影する。使用者は１０４を見ながら画角を決める。１０２は上面または表示部１０４上にタッチパネルとして配置されており、押すことでシャッターを操作できる。またタッチパネルはズームスイッチ等カメラを操作するための各種機能を有するスイッチを配備している。
【００１７】
（撮像装置ブロック図概要）
図２は、本実施形態のデジタルカメラの構成例を示すブロック図である。図２において、１０１はズームレンズ、フォーカスレンズを含むレンズ群である。１０５は光学像を電気信号に変換するＣＣＤやＣＭＯＳ素子等で構成される撮像素子である。
【００１８】
１０６は、１０５での画像に関わる処理を施す。１０８は、１０５によって得られた画像データや、１０４に表示するための画像データを格納する。１０８は、所定枚数の静止画像や所定時間の動画像および音声を格納するのに十分な記憶容量を備えている。１０４は、ＬＣＤ等の表示部上に表示を行う。撮影時は電子ビューファインダとして機能し、スルー画像表示を行える。
【００１９】
ズームスイッチ  １０３、１０２、１１０は１０７に各種の動作指示を入力するための操作手段である。ズームスイッチ  １０３からの入力を受けて１０７から指示を出して１０１を動かして画角が変更される。１０２からの入力により１０７が１０５で得られた画像を１０８に格納する。１１１は、電池、電池検出回路、ＤＣ−ＤＣコンバータ、通電するブロックを切り替えるスイッチ回路等により構成され、電池の装着の有無、電池の種類、電池残量の検出を行う。
【００２０】
また、１１１は、その検出結果及び１０７の指示に基づいてＤＣ−ＤＣコンバータを制御し、必要な電圧を必要な期間、各部へ供給する。ジャケットを装着した際に１１２から指示を受け、１０７によってジャケット装着モードで制御する。
【００２１】
（ジャケット概略）
図３、図４はデジタルカメラにジャケットを装着した概略図である。ジャケットは金属などの導電部材でできた１１４とポリカーボネートなどの剛体部材でできた１１５でできている。デジタルカメラの１０４前には１１６があり、外側より表示が見られるようになっている。ジャケット上面には１１７が設けられており、また、詳しい位置関係は後述するが、デジタルカメラのタッチパネル上のスイッチに対応した位置にジャケット操作部１１５が配置されており、ジャケット操作部１１５を操作することでデジタルカメラ本体の操作を行うことが可能である。
【００２２】
（操作部構造）
図５を用いて、１１５の構造について説明する。図５は１１５の断面図であり、１１８は導電部材で構成されたジャケット操作部保持部材、１１９は押圧部、１２０は非導電部材で構成された受け部、１２１はタッチパネル上の操作キーアイコンの表示部、１２２はタッチパネル上の検出部である。
【００２３】
ここで、１１５はタッチパネル上の表示部の表示領域より大きい面積の部材で構成されており、子供などのユーザーにとっても操作しやすくかつ視認性も良い。また、図５に示した通り、ジャケット操作部１１５の中心と押圧部１１９は異なる位置に配置している。そして、デジタルカメラ本体はジャケットを検知すると表示部１２１に対してある一定距離オフセットした位置に検出部１２２を形成する。そして、ユーザーがジャケット操作部１１５を操作した場合に押圧部１１９が検出部１２２に当接する構成となっている。
【００２４】
ここで、ジャケット本体部１１４とジャケット操作部保持部材１１８は導電部材で構成されているため、ユーザーがジャケット操作部１１５を操作して押圧部１１９が検出部１２２に当接するとユーザーの電位が検出部１２２に伝わり、タッチパネルが反応する構成となっている。
【００２５】
また、ユーザーが必要以上の操作力でジャケット操作部１１５を操作した場合は、ジャケット操作部１１５がタッチパネルに接触する前に受け部１２０がタッチパネルと当接する。このため、ジャケット操作部１１５がタッチパネルを傷つけることを回避することができる。
【００２６】
（検出部オフセット処理のステップ）
以上、説明してきたデジタルカメラの検出部のオフセット処理のステップについて図６を用いて説明する。
【００２７】
電源スイッチを操作するとシステム制御部が電源ＯＮの処理（Ｓ１０１）を行う。ジャケットが装着されていれば、ジャケット検出部で検出処理（Ｓ１０２）をおこない、ジャケット検出がＯＮならば検出部のオフセット処理（Ｓ１０３）を行い、ジャケット検出がＯＦＦなら検出部の非オフセット処理（Ｓ１０４）を行う。
【００２８】
以上により、ジャケット装着時は検出部がオフセットされ、前述したように押圧部１１９により検出部を押圧することが可能となる。
【００２９】
このように、ジャケット装着時にジャケット操作部１１５の操作によりデジタルカメラ本体の操作が行えるようになり、子供にも操作しやすいデジタルカメラを提供できる。
【００３０】
＜第２の実施形態＞
以下、図を参照して第２の実施形態を説明する。なお、変更点のみを記載し、変更点以外は前述した第１の実施形態の説明に準じる。
【００３１】
（ジャケット装着時のその他の機能）
図７に表示アイコンを拡大表示する処理のステップについて説明する。電源スイッチを操作するとシステム制御部が電源ＯＮの処理（Ｓ１０１）を行う。ジャケットが装着されていれば、ジャケット検出部で検出処理（Ｓ１０２）をおこない、ジャケット検出がＯＮならば表示アイコンの拡大表示処理（Ｓ１０５）を行い、ジャケット検出がＯＦＦなら表示アイコンは通常サイズで表示する処理（Ｓ１０６）を行う。
【００３２】
以上により、ジャケット装着時は表示アイコンが拡大表示され、操作部の操作性と視認性が向上することで、子供にも操作しやすいデジタルカメラを提供できる。また、図８に、表示アイコンが変化した例を示す。図に示した通り、ジャケット装着時には表示部の表示アイコンを、例えばキャラクターなど子供に好まれるものに変化してもよい。
【００３３】
以上により、ジャケット装着時は表示アイコンが変更され、より視認性が向上することで、子供にも操作しやすいデジタルカメラを提供できる。
【００３４】
（まとめ）
以上、本発明をその好適な実施形態に基づいて詳述してきたが、本実施例の効果は、デジタルカメラに本実施例のジャケットを装着することで、操作部の操作性と視認性が向上し、子供が使いやすいデジタルカメラを提供できることである。
【符号の説明】
【００３５】
１０１  撮像レンズ
１０２  シャッターボタン
１０４  表示部
１０５  撮像部
１０６  画像処理部
１０７  システム制御部
１０８  メモリ
１１０  電源スイッチ
１１１  電源部
１１２  ジャケット検出部
１１３  ジャケット
１１４  ジャケット本体部
１１５  ジャケット操作部
１１６  表示部開口
１１７  ジャケットシャッターボタン
１１８  ジャケット操作部保持部材
１１９  押圧部
１２０  受け部
１２１  表示部
１２２  検出部
【図１】
2018072400.tif 000003
【図２】
2018072400.tif 000004
【図３】
2018072400.tif 000005
【図４】
2018072400.tif 000006
【図５】
2018072400.tif 000007
【図６】
2018072400.tif 000008
【図７】
2018072400.tif 000009
【図８】
2018072400.tif 000010